(57)【要約】【課題】加湿ロータに水が掛かるのを防止する。【解決手段】室外機は、室外ファンと、室外ファンによって発生した空気流が通過する加湿ロータ６３とを備えており、室外ファンが配置される空間と、加湿ロータ６３が配置される空間とが、室外ファンと加湿ロータとの間に位置する連通流路６９において連通しており、この連通流路６９内に、遮水部材８０が配置されている。【選択図】図１０
2014126318.tif 000002
【特許請求の範囲】
【請求項１】
室外ファンと、
前記室外ファンによって発生した空気流が通過する加湿ロータとを備え、
前記室外ファンが配置される空間と、前記加湿ロータが配置される空間とが、前記室外ファンと前記加湿ロータとの間に位置する連通流路において連通しており、
前記連通流路内に、遮水部材が配置されていることを特徴とする室外機。
【請求項２】
前記遮水部材が、前記加湿ロータに対向して配置されていることを特徴とする請求項１に記載の室外機。
【請求項３】
前記遮水部材が、少なくとも１つの開口を有する第１板部材を含むことを特徴とする請求項２に記載の室外機。
【請求項４】
前記遮水部材が、隙間を空けて積層された複数の前記第１板部材からなり、
積層方向から見て、前記第１板部材の前記開口が、隣接する前記第１板部材の非開口部と重なる部分を有することを特徴とする請求項３に記載の室外機。
【請求項５】
前記遮水部材が、前記第１板部材と第２板部材からなり、
前記第２板部材は、前記第１板部材の前記開口を塞ぐ遮断位置と、前記第１板部材の前記開口を塞がない連通位置とにわたって移動可能であることを特徴とする請求項３に記載の室外機。
【請求項６】
前記第２板部材を前記遮断位置と前記連通位置とにわたって移動させる駆動手段を備えており、
前記第２板部材は、加湿運転時には前記連通位置に配置され、加湿運転を行っていないときには前記遮断位置に配置されることを特徴とする請求項５に記載の室外機。
【請求項７】
前記第２板部材が、開口を有しており、
前記第２板部材が前記連通位置のとき、前記第２板部材の開口と、前記第１板部材の開口が重なることを特徴とする請求項５または６に記載の室外機。
【請求項８】
前記第２板部材が、前記加湿ロータの回転軸を中心として回転可能であることを特徴とする請求項５〜７のいずれかに記載の室外機。
【請求項９】
前記遮水部材が、前記加湿ロータの面方向に対して傾斜した複数の傾斜板片を、隙間を空けて前記面方向に並べた構成であることを特徴とする請求項２に記載の室外機。
【請求項１０】
前記傾斜板片が、前記加湿ロータの面方向に関して前記加湿ロータの回転軸に近づくほど、前記加湿ロータの回転軸方向に関して前記加湿ロータから離れるように傾斜していることを特徴とする請求項９に記載の室外機。
【請求項１１】
前記複数の傾斜板片が、円弧状であって、前記加湿ロータの回転軸を中心として同心状に配置されていることを特徴とする請求項９または１０に記載の室外機。
【請求項１２】
前記遮水部材が、前記加湿ロータとの間に隙間を空けて対向配置されており、
前記連通流路は、前記遮水部材の面方向外側を前記空気流が通過するように構成されていることを特徴とする請求項２〜１１のいずれかに記載の室外機。
【請求項１３】
前記遮水部材が、開口を有しないことを特徴とする請求項１２に記載の室外機。
【発明の詳細な説明】
【技術分野】
【０００１】
本発明は、加湿ロータを有する室外機、特に、ファンが配置される空間と加湿ロータが配置される空間とが、ファンと加湿ロータとの間で連通する室外機に関するものである。
【背景技術】
【０００２】
従来から、空気調和機の室外機として、室内の空気を加湿するための加湿ユニットを備えたものがある(例えば、特許文献１、２参照)。この加湿ユニットは、ゼオライト等の吸放湿材で形成された加湿ロータを有している。
【０００３】
特許文献２に記載の室外機は、ファンの上方に加湿ロータが配置されており、ファンによって発生した空気流が、加湿ロータの一部分を上から下に通過した後、ファンによって吹出口から吹き出されるようになっている。
【先行技術文献】
【特許文献】
【０００４】
【特許文献１】特開２００２−８９８９６号公報
【特許文献２】特願２０１２−１２１５２７号
【発明の概要】
【発明が解決しようとする課題】
【０００５】
しかしながら、特許文献２のように、加湿ロータが配置される空間と、ファンが配置される空間とが、加湿ロータとファンとの間において連通している場合、ファンが配置される空間は吸込口および吹出口と連通しているため、吸込口または吹出口から入った雨水がファンによって跳ね上げられて、加湿ロータが濡れてしまう場合がある。また、室外機を水洗いする際に、吸込口または吹出口から室外機内に入った水によって、加湿ロータが濡れてしまう場合がある。加湿ロータが濡れると、カビが発生して、加湿性能が低下したり、カビ臭のある加湿空気が室内に搬送されてしまう恐れがある。
【０００６】
そこで、本発明は、加湿ロータに水が掛かるのを防止できる室外機を提供することを目的とする。
【課題を解決するための手段】
【０００７】
第１の発明に係る室外機は、室外ファンと、前記室外ファンによって発生した空気流が通過する加湿ロータとを備え、前記室外ファンが配置される空間と、前記加湿ロータが配置される空間とが、前記室外ファンと前記加湿ロータとの間に位置する連通流路において連通しており、前記連通流路内に、遮水部材が配置されていることを特徴とする。
【０００８】
この室外機では、室外ファンと加湿ロータとの間に遮水部材が配置されるため、室外ファンが配置される空間内に、雨水や室外機を洗浄するための水が侵入しても、加湿ロータに水が掛かるのを防止できる。
【０００９】
第２の発明に係る室外機は、第１の発明において、遮水部材が、前記加湿ロータに対向して配置されていることを特徴とする。
【００１０】
この室外機では、遮水部材が加湿ロータに対向配置されているため、遮水部材の面積を効率的に用いて、加湿ロータに水が掛かるのを防止できる。
【００１１】
第３の発明に係る室外機は、第２の発明において、前記遮水部材が、少なくとも１つの開口を有する第１板部材を含むことを特徴とする。
【００１２】
この室外機では、遮水部材に空気流を通過させることができる。
【００１３】
第４の発明に係る室外機は、第３の発明において、前記遮水部材が、隙間を空けて積層された複数の前記第１板部材からなり、積層方向から見て、前記第１板部材の前記開口が、隣接する前記第１板部材の非開口部と重なる部分を有することを特徴とする。
【００１４】
この室外機では、第１板部材の開口が、隣接する第１板部材の非開口部と重なっていると共に、第１板部材同士の間に隙間が形成されているため、遮水部材が１枚の第１板部材だけで構成されている場合よりも加湿ロータに水が掛かるのを防止できる。
【００１５】
第５の発明に係る室外機は、第３の発明において、前記遮水部材が、前記第１板部材と第２板部材からなり、前記第２板部材は、前記第１板部材の前記開口を塞ぐ遮断位置と、前記第１板部材の前記開口を塞がない連通位置とにわたって移動可能であることを特徴とする。
【００１６】
この室外機では、第２板部材が連通位置にあるときには、遮水部材の通風抵抗を低減できる。第２板部材が遮断位置にあるときには、連通位置にあるときよりも遮水部材の通風抵抗は高くなるものの、加湿ロータに水が掛かるのをより確実に防止できる。
【００１７】
第６の発明に係る室外機は、第５の発明において、前記第２板部材を前記遮断位置と前記連通位置とにわたって移動させる駆動手段を備えており、前記第２板部材は、加湿運転時には前記連通位置に配置され、加湿運転を行っていないときには前記遮断位置に配置されることを特徴とする。
【００１８】
この室外機では、加湿運転時には第２板部材が連通位置に配置されるため、加湿ロータに水が掛かるのを防止しつつ、加湿ロータと遮水部材に空気流を通過させることができる。また、加湿ロータに空気流を通過させる必要のない加湿運転停止時には、第２板部材を遮断位置に配置することで、加湿ロータに水が掛かるのをより確実に防止できる。
【００１９】
第７の発明に係る室外機は、第５または第６の発明において、前記第２板部材が、開口を有しており、前記第２板部材が前記連通位置のとき、前記第２板部材の開口と、前記第１板部材の開口が重なることを特徴とする。
【００２０】
この室外機では、第２板部材が開口を有するため、第２板部材が連通位置のとき、第２板部材の開口と第１板部材の開口が重なるように、第２板部材を第１板部材に対向配置できる。そのため、第２板部材が開口を有しない場合に比べて、連通位置から遮断位置までの第２板部材の移動距離を短くできる。
【００２１】
第８の発明に係る室外機は、第５〜第７の発明のいずれかにおいて、前記第２板部材が、前記加湿ロータの回転軸を中心として回転可能であることを特徴とする。
【００２２】
この室外機では、第２板部材が加湿ロータの回転軸を中心に回転するため、第２板部材がその面方向に直線状に移動する場合に比べて、第２板部材の移動範囲を小さくでき、遮水部材の設置スペースを小さくできる。
【００２３】
第９の発明に係る室外機は、第２の発明において、前記遮水部材が、前記加湿ロータの面方向に対して傾斜した複数の傾斜板片を、隙間を空けて前記面方向に並べた構成であることを特徴とする。
【００２４】
この室外機では、傾斜板片によって加湿ロータに水が掛かるのを防止しつつ、傾斜板片同士の隙間に空気流を通過させることができる。
【００２５】
第１０の発明に係る室外機は、第９の発明において、前記傾斜板片が、前記加湿ロータの面方向に関して前記加湿ロータの回転軸に近づくほど、前記加湿ロータの回転軸方向に関して前記加湿ロータから離れるように傾斜していることを特徴とする。
【００２６】
この室外機では、連通流路の室外ファン側から加湿ロータの中央側に向かって飛んだ水が、加湿ロータに掛かるのを防止できる。したがって、室外機を洗浄するための水が加湿ロータに掛かるのをより確実に防止できる。また、連通流路の空気の流れ方向が、加湿ロータから室外ファンに流れる方向の場合、複数の傾斜板片の隙間から排出された空気流は、傾斜板片の傾斜方向に沿って流れるため、空気流を加湿ロータの回転軸側に集めることができ、室外ファンに吸い込まれやすくなる。
【００２７】
第１１の発明に係る室外機は、第９または第１０の発明において、前記複数の傾斜板片が、円弧状であって、前記加湿ロータの回転軸を中心として同心状に配置されていることを特徴とする。
【００２８】
この室外機では、複数の傾斜板片を支持する部品の形状が、扇形状または円形状の場合に、遮水部材を作製しやすい。
【００２９】
第１２の発明に係る室外機は、第２〜第１１の発明のいずれかにおいて、前記遮水部材が、前記加湿ロータとの間に隙間を空けて対向配置されており、前記連通流路は、前記遮水部材の面方向外側を前記空気流が通過するように構成されていることを特徴とする。
【００３０】
この室外機では、連通流路は、遮水部材の面方向外側を空気流が通過できるように構成されているため、遮水部材の通風抵抗に関わらず、室外ファンが配置される空間と加湿ロータが配置される空間とを連通させることができる。
【００３１】
第１３の発明に係る室外機は、第１２の発明において、前記遮水部材が、開口を有しないことを特徴とする。
【００３２】
この室外機では、遮水部材が開口を有しないため、加湿ロータに水が掛かるのを確実に防止できる。
【発明の効果】
【００３３】
以上の説明に述べたように、本発明によれば、以下の効果が得られる。
【００３４】
第１の発明では、室外ファンと加湿ロータとの間に遮水部材が配置されるため、室外ファンが配置される空間内に、雨水や室外機を洗浄するための水が侵入しても、加湿ロータに水が掛かるのを防止できる。
【００３５】
第２の発明では、遮水部材が加湿ロータに対向配置されているため、遮水部材の面積を効率的に用いて、加湿ロータに水が掛かるのを防止できる。
【００３６】
第３の発明では、遮水部材に空気流を通過させることができる。
【００３７】
第４の発明では、第１板部材の開口が、隣接する第１板部材の非開口部と重なっていると共に、第１板部材同士の間に隙間が形成されているため、遮水部材が１枚の第１板部材だけで構成されている場合よりも加湿ロータに水が掛かるのを防止できる。
【００３８】
第５の発明では、第２板部材が連通位置にあるときには、遮水部材の通風抵抗を低減できる。第２板部材が遮断位置にあるときには、連通位置にあるときよりも遮水部材の通風抵抗は高くなるものの、加湿ロータに水が掛かるのをより確実に防止できる。
【００３９】
第６の発明では、加湿運転時には第２板部材が連通位置に配置されるため、加湿ロータに水が掛かるのを防止しつつ、加湿ロータと遮水部材に空気流を通過させることができる。また、加湿ロータに空気流を通過させる必要のない加湿運転停止時には、第２板部材を遮断位置に配置することで、加湿ロータに水が掛かるのをより確実に防止できる。
【００４０】
第７の発明では、第２板部材が開口を有するため、第２板部材が連通位置のとき、第２板部材の開口と第１板部材の開口が重なるように、第２板部材を第１板部材に対向配置できる。そのため、第２板部材が開口を有しない場合に比べて、連通位置から遮断位置までの第２板部材の移動距離を短くできる。
【００４１】
第８の発明では、第２板部材が加湿ロータの回転軸を中心に回転するため、第２板部材がその面方向に直線状に移動する場合に比べて、第２板部材の移動範囲を小さくでき、遮水部材の設置スペースを小さくできる。
【００４２】
第９の発明では、傾斜板片によって加湿ロータに水が掛かるのを防止しつつ、傾斜板片同士の隙間に空気流を通過させることができる。
【００４３】
第１０の発明では、連通流路の室外ファン側から加湿ロータの中央側に向かって飛んだ水が、加湿ロータに掛かるのを防止できる。したがって、室外機を洗浄するための水が加湿ロータに掛かるのをより確実に防止できる。また、連通流路の空気の流れ方向が、加湿ロータから室外ファンに流れる方向の場合、複数の傾斜板片の隙間から排出された空気流は、傾斜板片の傾斜方向に沿って流れるため、空気流を加湿ロータの回転軸側に集めることができ、室外ファンに吸い込まれやすくなる。
【００４４】
第１１の発明では、複数の傾斜板片を支持する部品の形状が、扇形状または円形状の場合に、遮水部材を作製しやすい。
【００４５】
第１２の発明では、連通流路は、遮水部材の面方向外側を空気流が通過できるように構成されているため、遮水部材の通風抵抗に関わらず、室外ファンが配置される空間と加湿ロータが配置される空間とを連通させることができる。
【００４６】
第１３の発明では、遮水部材が開口を有しないため、加湿ロータに水が掛かるのを確実に防止できる。
【図面の簡単な説明】
【００４７】
【図１】本発明の第１実施形態に係る空気調和機の概略構成を示す図である。
【図２】空気調和機の回路図である。
【図３】室外機からグリルを取り外した状態を示す斜視図である。
【図４】図３の室外機からケーシングの前板および天板を取り外した状態の斜視図である。
【図５】グリルとケーシングの背面図である。
【図６】グリルの背面図である。
【図７】グリルを背面側から見た斜視図である。
【図８】図１のＡ−Ａ線断面図である。
【図９】加湿ユニットの底部材に加湿ロータを設置した状態の平面図である。
【図１０】図９のＢ−Ｂ線断面図である。
【図１１】加湿ロータを通過する空気の流れを説明する図である。
【図１２】加湿ユニットの底部材の斜視図である。
【図１３】加湿ユニットの底部材の平面図である。
【図１４】遮水部材を構成する２枚の板部材の平面図である。
【図１５】本発明の第２実施形態に係る遮水部材と加湿ロータの断面図である。
【図１６】図１５に示す遮水部材の斜視図である。
【図１７】図１５に示す遮水部材の平面図である。
【図１８】第２実施形態の変更例に係る遮水部材と加湿ロータの断面図である。
【図１９】第２実施形態の変更例に係る遮水部材の平面図である。
【図２０】本発明の第３実施形態に係る遮水部材を構成する２枚の板部材の平面図である。
【図２１】第３実施形態に係る遮水部材と加湿ロータの断面図であって、（ａ）は加湿運転中の状態を示し、（ｂ）は加湿運転停止中の状態を示している。
【図２２】第３実施形態の変更例に係る遮水部材の平面図であって、（ａ）は加湿運転中の状態を示し、（ｂ）は加湿運転停止中の状態を示している。
【図２３】第３実施形態の変更例に係る遮水部材の平面図であって、（ａ）は加湿運転中の状態を示し、（ｂ）は加湿運転停止中の状態を示している。
【図２４】本発明の第４実施形態に係る室外機の断面図であって、図１０に相当する図である。
【発明を実施するための形態】
【００４８】
＜第１実施形態＞
以下、図面を参照しつつ本発明の第１の実施の形態について説明する。
【００４９】
［空気調和機１０の概要］
図１に示すように、本実施形態の空気調和機１０は、室内に設置される室内機２０と屋外に設置される室外機３０とが連絡配管１２によって接続されて構成されている。空気調和機１０は、冷房運転、暖房運転、加湿運転、除湿運転、給気運転などの複数の運転モードを有しており、これらの運転モードは適宜組み合わせて実施することもできる。
【００５０】
冷房運転および暖房運転では、室外機３０から送られた冷媒と室内空気とを室内機２０の室内熱交換器２１において熱交換させて、室内空気を冷却または加熱する。また、加湿運転では、室外機３０の加湿ユニット６０において、外気から水分を取り込んで加湿空気を生成し、この加湿空気を室内機２０に供給する。給気運転では、外気を加湿せずに室内機２０に供給する。
【００５１】
図２に示すように、空気調和機１０は、室外機３０と室内機２０の間で冷媒を循環させる冷媒回路を有している。この冷媒回路は、室内機２０の室内熱交換器２１、室外機３０の圧縮機３１、四路切換弁３２、室外熱交換器３３、電動弁３４、アキュムレータ３５、液閉鎖弁３６、およびガス閉鎖弁３７が接続されて構成されている。また、連絡配管１２の中には、室内熱交換器２１と液閉鎖弁３６とを接続する液冷媒配管１４、および、室内熱交換器２１とガス閉鎖弁３７とを接続するガス冷媒配管１６が収容されている。
【００５２】
冷房運転時には、四路切換弁３２は図２中、実線の状態になっており、圧縮機３１で圧縮された冷媒は、四路切換弁３２を介して室外熱交換器３３に供給される。室外熱交換器３３において外気との熱交換により熱を奪われた冷媒は、電動弁３４で減圧された後、液閉鎖弁３６、および液冷媒配管１４を順に通って室内熱交換器２１に供給される。室内熱交換器２１において室内空気との熱交換により温度が上昇した冷媒は、ガス冷媒配管１６、ガス閉鎖弁３７、四路切換弁３２、アキュムレータ３５とを順に通って圧縮機３１に戻される。
【００５３】
暖房運転時には、四路切換弁３２は図２中、点線の状態になっており、圧縮機３１で圧縮された冷媒は、四路切換弁３２、ガス閉鎖弁３７、ガス冷媒配管１６を順に通って、室内熱交換器２１に供給される。室内熱交換器２１において室内空気との熱交換により熱が奪われた冷媒は、液冷媒配管１４、液閉鎖弁３６を順に通過した後、電動弁３４で減圧されて、その後、室外熱交換器３３に供給される。室外熱交換器３３において外気との熱交換により温度が上昇した冷媒は、アキュムレータ３５を介して圧縮機３１に戻される。
【００５４】
図２に示すように、室内機２０は、室内熱交換器２１に加えて、クロスフローファンからなる室内ファン２２を備えている。室内ファン２２が駆動されると、室外機３０の上部の吸込口２３から室内空気が吸い込まれて、室内熱交換器２１を通過した後、吹出口２４から室内に吹き出される。
【００５５】
また、室内機２０は、連絡配管１２内に収容された加湿ダクト１８を介して、室外機３０の加湿ユニット６０に接続されている。加湿ダクト１８の給気口２５は、空気の流れ方向に関して室内熱交換器２１の上流側に配置されている。加湿運転時には、室外機３０から加湿ダクト１８を介して加湿空気が供給された状態で、室内ファン２２が駆動されることで、吹出口２４から加湿空気が室内に吹き出される。
【００５６】
［室外機３０の構成］
室外機３０は、ケーシング４０と、ケーシング４０の前面に取り付けられたグリル５６とを有する。図１および図４に示すように、ケーシング４０の内部は、仕切板４３によって送風室４１と機械室４２とに仕切られており、送風室４１内には、室外熱交換器３３と、室外ファン３９と、加湿ユニット６０とが配置されており、機械室４２内には、圧縮機３１、四路切換弁３２、電動弁３４、およびアキュムレータ３５が配置されている。なお、以下の説明において、室外機３０を正面から見たときの左右方向、前後方向、上下方向を、それぞれ単に左右方向、前後方向、上下方向と称する。
【００５７】
図３に示すように、ケーシング４０は、略直方体状であって、前板４６、後板５０（図５参照）と、右側板４７、左側板５１（図４参照）、天板４８、および底板４９で構成されている。
【００５８】
前板４６には、円形状の吹出口４６ａが形成されている。吹出口４６ａは、前板４６の左右方向中央部より左寄りに形成されている。吹出口４６ａの周囲には、リング状のベルマウス５２が取り付けられている。前板４６の左上部には、横長の略矩形状の吸湿用開口部４６ｂが形成されている。この吸湿用開口部４６ｂの右側には、横長の略矩形状の放湿用開口部４６ｃが形成されている。
【００５９】
図５に示すように、後板５０は、右端以外の大部分が開口しており、この開口部５０ａには図示しない保護金網が取り付けられている。また、左側板５１には、格子状の開口部（図示省略）が形成されている。後板５０と左側板５１の開口部が、ケーシング４０内に外気を取り込む吸込口を構成している。
【００６０】
図４に示すように、仕切板４３は、底板４９に設置されており、上下方向に延びている。仕切板４３の上端の高さは、ケーシング４０の側板の上端の高さよりも低い。仕切板４３は、上方から見て、後板５０の右端部から湾曲して前板４６まで延びている。仕切板４３の左側が送風室４１であって、仕切板４３の右側が機械室４２である。
【００６１】
室外熱交換器３３は、上方から見て略Ｌ字状であって、ケーシング４０の左側板５１と後板５０に沿って配置されている。室外熱交換器３３は、底板４９に設置されており、上下方向に延びている。室外熱交換器３３の上端の高さは、ケーシング４０の側板の上端の高さとほぼ同じである。
【００６２】
室外ファン３９は、プロペラファンであって、ファンモータ３８で駆動される。ファンモータ３８は室外ファン３９の後方に配置されて、室外ファン３９の回転軸３９ａに連結されている。室外ファン３９は、ファンモータ支持部材５３に支持されている。ファンモータ支持部材５３は、底板４９と室外熱交換器３３の上端に取り付けられている。
【００６３】
室外ファン３９が駆動されると、後板５０の吸込口５０ａと左側板５１の吸込口（図示省略）とから外気が吸い込まれて、室外熱交換器３３を通過した後、前板４６の吹出口４６ａから吹き出される。
【００６４】
グリル５６は、矩形板状であって、前板４６の左右方向中央部より左寄りの位置に取り付けられて、吹出口４６ａを覆っている。図８に示すように、グリル５６は、前板４６との間に隙間を空けて配置されている。図１に示すように、グリル５６のほぼ全面には、多数の桟５６ｄが設けられている。図６および図７に示すように、グリル５６の下側略３／４の部分において、桟５６ｄと桟５６ｄの間は開口しており、グリル５６の下側略３／４の部分には、格子状の開口部５６ａが形成されている。
【００６５】
また、グリル５６の上側略１／４の部分のうち、前板４６の放湿用開口部４６ｃに対向する位置には、格子状の放湿用開口部５６ｐが形成されている（図５参照）。放湿用開口部５６ｐの周囲には、後方に突出するリブ５６ｑが形成されている（図７参照）。リブ５６ｑの突出先端は、前板４６に接している。
【００６６】
また、グリル５６の上側略１／４の部分のうち、放湿用開口部５６ｐ以外の部分５６ｂ（以下、非開口部５６ｂとする）では、桟５６ｄと桟５６ｄの間は塞がれている。この非開口部５６ｂは、正面視において前板４６の吹出口４６ａの一部分と重なっている。この重なり部分を重なり部５６ｂ２とする。また、非開口部５６ｂのうち、正面視において、吹出口４６ａの外周側部分と重なる部分を重なり部５６ｂ１とする。
【００６７】
また、非開口部５６ｂの下端の左右両端部には、後方に突出するリブ５６ｓが形成されている。また、非開口部５６ｂには、リブ５６ｑとリブ５６ｓとを連結するリブ５６ｒが形成されている。リブ５６ｒは、吹出口４６ａの外周側に形成されている。つまり、リブ５６ｒは、重なり部５６ｂ１に形成されている。リブ５６ｒ、５６ｓの突出先端は、前板４６に接している。
【００６８】
非開口部５６ｂの図７中二点鎖線で表示した領域Ａｒに、前板４６の吸湿用開口部４６ｂは対向している。そのため、吹出口４６ａの上端付近から吹き出された空気流ｒ（図７参照）は、リブ５６ｒ、５６ｑと非開口部５６ｂと前板４６とによって囲まれる流路に案内されて、吸湿用開口部４６ｂからケーシング４０内に流れ込む。
【００６９】
［加湿ユニット６０の構成］
図４に示すように、加湿ユニット６０は、ケーシング４０の内部空間の上部に配置されている。加湿ユニット６０は、仕切板４３と、ファンモータ支持部材５３の前方に延びる部分の上に配置されている。加湿ユニット６０の上面の高さは、室外熱交換器３３の上端の高さとほぼ同じである。
【００７０】
図９及び図１１に示すように、加湿ユニット６０は、モータ６５によって回転駆動される円環状の加湿ロータ６３を備えている。加湿ロータ６３は、ゼオライト等の吸放湿材で形成されている。また、加湿ロータ６３は、ハニカム構造に形成されており、厚み方向に空気が通過可能である。ゼオライト等の吸放湿材は、常温の空気に接すると空気中の水分を吸湿し、加熱されると保持している水分を空気中に放湿する性質をもっている。
【００７１】
加湿ロータ６３の外周面にはギア部６４が設けられている。このギア部６４とモータ６５の歯車が噛み合うことで、加湿ロータ６３は回転駆動される。
【００７２】
また、図１１に示すように、加湿ユニット６０には、外気中の水分を加湿ロータ６３に吸湿させるための吸湿流路６１と、加湿ロータ６３に保持された水分を放湿させて空気を加湿するための放湿流路６２とが形成されている。吸湿流路６１と放湿流路６２とは互いに連通しないように仕切られている。加湿ロータ６３のうち吸湿流路６１の空気流が通過する領域を吸湿部６３ａとし、放湿流路６２の空気流が通過する領域を放湿部６３ｂとする。
【００７３】
吸湿流路６１は、吹出口４６ａから吸湿用開口部４６ｂに流入した空気を加湿ロータ６３の吸湿部６３ａに導くための吸湿用ダクト６８（図４参照）と、加湿ロータ６３の吸湿部６３ａを通過した空気を室外ファン３９に導くための吸湿用ガイド壁６９と、吸湿用ガイド壁６９の内側に配置された遮水部材８０とを有する。吸湿用ガイド壁６９は、本発明の連通流路を構成する。
【００７４】
吸湿用ダクト６８は、図４に示すように、加湿ロータ６３の吸湿部６３ａの上面を覆うように配置されており、前板４６の吸湿用開口部４６ｂに対向する位置に吸気口６８ａを有する。吸気口６８ａは吸湿用開口部４６ｂとほぼ同じ大きさである。吸気口６８ａにはフィルタ６８ｆが取り付けられている。
【００７５】
図１２及び図１３に示すように、吸湿用ガイド壁６９は、加湿ユニット６０の底部材６０ａに設けられており、加湿ロータ６３と室外ファン３９との間に配置されている。吸湿用ガイド壁６９は、加湿ロータ６３の吸湿部６３ａとほぼ同じ大きさの扇形状の筒状に形成されている。吸湿用ガイド壁６９の円弧状の部分の上端は、ギア部６４を支持する円弧状の支持部７０に接続されている。
【００７６】
図１０に示すように、遮水部材８０は、吸湿用ガイド壁６９の内側に配置されており、加湿ロータ６３の吸湿部６３ａに対向している。遮水部材８０は、２枚の板部材８１、８２で構成されている。板部材８１、８２は、吸湿用ガイド壁６９の下端部に形成された階段状の支持部６９ａ、６９ｂに支持されており、隙間を空けて積層されている。図１４に示すように、板部材８１、８２は、吸湿部６３ａとほぼ同じ大きさの扇形状の板状体である。また、図示は省略するが、遮水部材８０の右側縁部（直線状の縁部）と吸湿用ガイド壁６９との間には、隙間が形成されており、空気が通過可能となっている。なお、底部材６０ａは、遮水部材８０の外周端と吸湿用ガイド壁６９との間を空気が通過できないように構成されていてもよい。
【００７７】
板部材８１には、複数の扇形状の開口８１ａが形成されている。図１４に示すように、複数の開口８１ａは、周方向と径方向に配列されている。詳細には、複数の開口８１ａは、周方向に関して開口８１ａと非開口部が交互に並ぶと共に、径方向に関して開口８１ａと非開口部とが交互に並ぶように配列されている。
【００７８】
板部材８２には、複数の扇形状の開口８２ａが形成されている。板部材８２の複数の開口８２ａは、上下方向から見て、板部材８１の非開口部と重なっており、板部材８１の開口８１ａとは重ならない。また、板部材８２の非開口部は、板部材８１の開口８１ａと重なっている。
【００７９】
室外ファン３９が駆動されると、図８に示すように、吹出口４６ａの上端付近から吹き出された空気が、グリル５６の非開口部５６ｂと前板４６との間の隙間を通過した後、前板４６の吸湿用開口部４６ｂを介して、吸気口６８ａから吸湿用ダクト６８に吸い込まれる。その際、空気は、吸気口６８ａに取り付けられたフィルタ６８ｆを通過する。
【００８０】
吸湿用ダクト６８に流入した空気は、図１０に示すように、加湿ロータ６３の吸湿部６３ａを上から下に通過した後、吸湿用ガイド壁６９に流入する。吸湿用ガイド壁６９に流入した空気は、遮水部材８０の開口８１ａ、８２ａを通過して、室外ファン３９の上方の空間に送られる。そして、この空気は、室外ファン３９によって吹出口４６ａから再び吹き出される。加湿ロータ６３の吸湿部６３ａを空気が通過する際に、空気中に含まれる水分が加湿ロータ６３に吸湿される。
【００８１】
放湿流路６２には、図４に示すように、加湿ロータ６３の放湿部６３ｂを加熱するヒータ７１と、ターボファンからなる加湿ファン７５とが配置されている。放湿流路６２は、加湿ロータ６３の放湿部６３ｂに外気を導くための放湿用第１ダクト７２と、加湿ロータ６３の放湿部６３ｂを通過した空気を加湿ダクト１８に導くための放湿用第２ダクト７３（図８参照）とを有する。
【００８２】
ヒータ７１は、加湿ロータ６３の上方に配置されている。ヒータ７１は、図８に示すように、加湿ロータ６３の放湿部６３ｂの上面を覆うように配置されたヒータカバー７１ａと、ヒータカバー７１ａの内側に配置された電熱線７１ｂとを有する。ヒータカバー７１ａの内側は、空気が通過可能となっている。
【００８３】
放湿用第１ダクト７２は、加湿ロータ６３の放湿部６３ｂの下面の一部を覆うように配置されている。放湿用第１ダクト７２は、図４に示すように、前板４６の放湿用開口部４６ｃに対向する位置に、吸気口７２ａを有する。吸気口７２ａは放湿用開口部４６ｃとほぼ同じ大きさである。
【００８４】
放湿用第２ダクト７３は、加湿ロータ６３の放湿部６３ｂの下方に配置されており、放湿部６３ｂのうち放湿用第１ダクト７２で覆われていない部分を覆っている。放湿用第２ダクト７３の排気口は、加湿ファン７５の吸入側に接続されている。この加湿ファン７５の吹出側は、加湿ダクト１８に接続されている。また、放湿用第２ダクト７３には、空気の逆流を防止するためのダンパ７４（図２参照）が設けられている。
【００８５】
加湿ファン７５が駆動されると、外気が前板４６の放湿用開口部４６ｃを介して、吸気口７２ａから放湿用第１ダクト７２に吸い込まれる。放湿用第１ダクト７２に流入した空気は、加湿ロータ６３の放湿部６３ｂを下から上に通過した後、ヒータ７１に流れ込み、その後、加湿ロータ６３の放湿部６３ｂを上から下に通過する。加湿ロータ６３はヒータ７１によって加熱されることで、放湿部６３ｂにおいて吸湿した水分を放湿するため、空気が加湿ロータ６３の放湿部６３ｂを通過する際に、空気が加湿される。加湿ロータ６３の放湿部６３ｂを上から下に通過した空気は、放湿用第２ダクト７３と、加湿ダクト１８とを通過して、室内機２０に供給される。
【００８６】
本実施形態の室外機には、以下の特徴がある。
【００８７】
室外ファン３９と加湿ロータ６３との間に遮水部材８０が配置されるため、室外ファン３９が配置される空間に、雨水や室外機を洗浄するための水が侵入しても、加湿ロータ６３に水が掛かるのを防止できる。
【００８８】
また、本実施形態では、遮水部材８０が加湿ロータ６３に対向配置されているため、遮水部材８０の面積を効率的に用いて、加湿ロータ６３に水が掛かるのを防止できる。
【００８９】
また、本実施形態では、遮水部材８０が、開口８１ａ、８２ａを有する２枚の板部材８１、８２で構成されているため、遮水部材８０に空気流を通過させることができる。
【００９０】
また、本実施形態では、板部材８１、８２が隙間を空けて積層されており、板部材８１の開口８１ａと板部材８２の非開口部とが重なっていると共に、板部材８２の開口８２ａと板部材８２の非開口部とが重なっているため、遮水部材が１枚の板部材８１だけで構成されている場合よりも加湿ロータ６３に水が掛かるのを防止できる。
【００９１】
なお、第１実施形態の室外機は、以下のように変更して実施することができる。
【００９２】
上記実施形態では、開口８１ａ、８２ａは、扇形状に形成されているが、例えば円形状などの扇形状以外の形状であってもよい。また、開口は、板部材の縁部に形成された切欠きであってもよい。また、開口の周方向の配列数及び径方向の配列数は、図１４に示すものに限定されない。また、開口の配列方向は、周方向と径方向でなくてもよい。例えば、左右方向と前後方向に配列されていてもよい。また、開口は、１枚の板部材に対して１つだけ形成されていてもよい。
【００９３】
上記実施形態では、上下方向から見て、板部材８１の開口８１ａと板部材８２の開口８２ａとは、全く重ならないが、部分的に重なるように形成されていてもよい。
【００９４】
上記実施形態では、遮水部材８０は、２枚の板部材８１、８２で構成されているが、３枚以上の板部材で構成されていてもよい。この場合、板部材の開口は、隣接する板部材の非開口部と重なる部分を有するように形成されていればよい。
【００９５】
＜第２実施形態＞
次に、本発明の第２の実施の形態について説明する。なお、上記第１実施形態と同様の構成を有するものについては、同じ符号を用いて適宜その説明を省略する。
図１５に示すように、本実施形態に係る室外機は、遮水部材１８０の構成が、第１実施形態の遮水部材８０と異なっており、その他の構成は第１実施形態とほぼ同じである。
【００９６】
図１６および図１７に示すように、本実施形態の遮水部材１８０は、扇形状のフレーム１８３と、フレーム１８３の内側に設けられた複数の円弧状の傾斜板片１８４とからなる。
【００９７】
フレーム１８３は、加湿ロータ６３の吸湿部６３ａとほぼ同じ大きさの扇形状に形成された枠体である。図示は省略するが、フレーム１８３は、吸湿用ガイド壁６９の下端部に支持されている。
【００９８】
複数の傾斜板片１８４は、それぞれ、円弧状に形成されており、フレーム１８３の扇形状の中心（加湿ロータ６３の回転軸Ｃと一致）を中心として同心状に配置されている。傾斜板片１８４は、水平方向に関して加湿ロータ６３の回転軸Ｃに近づくほど、下方に向かうように傾斜している。径方向に隣り合う２枚の傾斜板片１８４は、板厚方向に隙間Ｗを空けて配置されている。また、上下方向から見て、径方向に隣り合う２枚の傾斜板片１８４は、重なっておらず、間隔Ｄを空けて配置されている。
【００９９】
本実施形態では、吸湿用ガイド壁６９に流入した空気は、複数の傾斜板片１８４の隙間を通って、室外ファン３９の上方の空間に送られる。
【０１００】
本実施形態の室外機には、以下の特徴がある。
【０１０１】
本実施形態の室外機は、第１実施形態と同様に、室外ファン３９と加湿ロータ６３との間に遮水部材１８０が配置されるため、室外ファン３９が配置される空間に雨水等が侵入しても、加湿ロータ６３に水が掛かるのを防止できる。
【０１０２】
また、本実施形態では、遮水部材１８０が、加湿ロータ６３の面方向に対して傾斜した複数の傾斜板片１８４を、隙間を空けて前記面方向に並べた構成であるため、傾斜板片１８４によって加湿ロータ６３に水が掛かるのを防止しつつ、傾斜板片１８４同士の隙間に空気流を通過させることができる。
【０１０３】
また、本実施形態では、複数の傾斜板片１８４が、加湿ロータ６３の面方向に関して加湿ロータ６３の回転軸Ｃに近づくほど、加湿ロータ６３から離れるように傾斜しているため、吸湿用ガイド壁の室外ファン３９側から加湿ロータ６３の中央側に向かって飛んだ水が、加湿ロータ６３に掛かるのを防止できる。したがって、室外機を洗浄するための水が加湿ロータ６３に掛かるのをより確実に防止できる。また、複数の傾斜板片１８４の隙間から排出された空気流は、傾斜板片１８４の傾斜方向に沿って流れるため、空気流を加湿ロータ６３の回転軸Ｃ側に集めることができ、室外ファン３９に吸い込まれやすくなる。
【０１０４】
また、本実施形態では、複数の傾斜板片１８４を支持するフレーム１８３が扇形状であるため、複数の傾斜板片１８４を円弧状に形成することで、直線状に形成した場合よりも、遮水部材１８０を作製しやすい。
【０１０５】
なお、第２実施形態の室外機は、以下のように変更して実施することができる。
【０１０６】
上記実施形態では、傾斜板片１８４は、径方向に関して３列配置されているが、２列であっても、４列以上であってもよい。
【０１０７】
上記実施形態では、上下方向から見て、径方向に隣り合う２枚の傾斜板片１８４は、重なっていないが、例えば図１８に示す遮水部材１１８０のように、径方向に隣り合う２枚の傾斜板片１１８４が、部分的に重なっていてもよい。
【０１０８】
上記実施形態では、傾斜板片１８４は、円弧状に延在しているが、例えば図１９に示す遮水部材２１８０ように、複数の傾斜板片２１８４が直線状に延在していてもよい。なお、図１９では、傾斜板片２１８４は、左右方向に延在しており、加湿ロータ６３の回転軸Ｃよりも前側に配置された傾斜板片２１８４と、加湿ロータ６３の回転軸Ｃよりも後側に配置された傾斜板片２１８４とは、傾斜方向が逆向きであって、両方とも、加湿ロータ６３の回転軸Ｃに近づくほど、下方に向かうように傾斜している。
【０１０９】
上記実施形態では、傾斜板片１８４は、水平方向に関して加湿ロータ６３の回転軸Ｃに近づくほど、下方に向かうように傾斜しているが、加湿ロータ６３の回転軸Ｃに近づくほど、上方に向かうように傾斜していてもよい。
【０１１０】
＜第３実施形態＞
次に、本発明の第３の実施の形態について説明する。なお、上記第１実施形態と同様の構成を有するものについては、同じ符号を用いて適宜その説明を省略する。
本実施形態に係る室外機は、遮水部材２８０の構成が、第１実施形態の遮水部材８０と異なると共に、第１実施形態の室外機が有しない駆動手段を有している。その他の構成は第１実施形態とほぼ同じである。
【０１１１】
図２０に示すように、本実施形態の遮水部材２８０は、扇形状の板部材２８１と、円形状の板部材２８２とで構成されている。図示は省略するが、板部材２８１、２８２は、吸湿用ガイド壁６９の下端部に支持されている。図２１に示すように、板部材２８１、２８２は、隙間を空けて積層される。その隙間の大きさは、第１実施形態の板部材８１、８２の隙間よりも小さくてよい。また、板部材２８２は、その中心が加湿ロータ６３の回転軸Ｃと一致するように配置されていると共に、回転可能に吸湿用ガイド壁６９に支持されている。
【０１１２】
板部材２８１には、周方向と径方向に配列された複数の扇形状の開口２８１ａが形成されている。複数の開口２８１ａの位置及び大きさは、第１実施形態の板部材８１の複数の開口８１ａとほぼ同じである。但し、複数の開口２８１ａの角度は全て同じになっている。また、板部材２８１の非開口部（周方向に隣接する２つの開口２８１ａの間の部分）の角度は全て同じになっている。
【０１１３】
板部材２８２には、板部材２８１の複数の開口２８１ａと同様のピッチ及び大きさで配列された複数の開口２８２ａが、全周にわたって形成されている。
【０１１４】
本実施形態の加湿ユニットは、板部材２８２を回転駆動させる駆動手段（図示省略）を備えている。例えば、板部材２８２の外周面にギアを形成して、このギアと噛み合う歯車と、この歯車を回転させるモータを駆動手段としてもよい。
【０１１５】
駆動手段は、加湿運転を開始するときと、加湿運転を停止するときに、板部材２８２の非開口部の角度とほぼ同じ角度分だけ板部材２８２を回転させる。加湿運転開始時の回転方向と、加湿運転停止時の回転方向は同じである。図２１に示すように、加湿運転中には、板部材２８２は、開口２８２ａが、板部材２８１の開口２８１ａと重なる位置（連通位置）に配置され、加湿運転停止中（加湿運転を行わない空調運転時を含む）には、板部材２８２は、その非開口部が、板部材２８１の開口２８１ａと重なる位置（遮断位置）に配置される。
【０１１６】
本実施形態では、加湿運転中、吸湿用ガイド壁６９に流入した空気は、遮水部材２８０の開口２８１ａ、２８２ａを通過して、室外ファン３９の上方の空間に送られる。
【０１１７】
本実施形態の室外機には、以下の特徴がある。
【０１１８】
本実施形態の室外機は、第１実施形態と同様に、室外ファン３９と加湿ロータ６３との間に遮水部材２８０が配置されるため、室外ファン３９が配置される空間に雨水等が侵入しても、加湿ロータ６３に水が掛かるのを防止できる。
【０１１９】
また、本実施形態では、遮水部材２８０が、開口２８１ａ、２８２ａを有する２枚の板部材２８１、２８２で構成されているため、遮水部材８０に空気流を通過させることができる。
【０１２０】
また、本実施形態では、板部材２８２は、板部材２８１の開口２８１ａを塞ぐ遮断位置と、板部材２８１の開口２８１ａを塞がない連通位置とにわたって移動可能であるため、板部材２８２が連通位置にあるときには、遮水部材２８０の通風抵抗を低減できる。また、板部材２８２が遮断位置にあるときには、加湿ロータ６３に水が掛かるのをより確実に防止できる。
【０１２１】
また、本実施形態では、加湿運転時には板部材２８２が連通位置に配置されるため、加湿ロータ６３に水が掛かるのを防止しつつ、加湿ロータ６３と遮水部材２８０に、室外ファン３９によって発生した空気流を通過させることができる。また、加湿ロータ６３に空気流を通過させる必要がない加湿運転停止時には、板部材２８２を遮断位置に配置することで、加湿ロータ６３に水が掛かるのをより確実に防止できる。
【０１２２】
また、本実施形態では、板部材２８２が開口２８２ａを有しているため、板部材２８２が連通位置のときに、板部材２８２の開口２８２ａと板部材２８１の開口が重なるように、板部材２８２を板部材２８１に対向配置できる。そのため、板部材２８２が開口を有しない場合に比べて、連通位置から遮断位置までの板部材２８２の移動距離を短くできる。
【０１２３】
また、本実施形態では、板部材２８２が加湿ロータ６３の回転軸Ｃを中心に回転するため、板部材２８２がその面方向に直線状に移動する場合に比べて、板部材２８２の移動範囲を小さくでき、遮水部材２８０の設置スペースを小さくできる。
【０１２４】
なお、第３実施形態の室外機は、以下のように変更して実施することができる。
【０１２５】
上記実施形態では、開口２８１ａ、２８２ａは、扇形状に形成されているが、例えば円形状などの扇形状以外の形状であってもよい。また、開口２８１ａ、２８２ａは、板部材の縁部に形成された切欠きであってもよい。また、開口２８１ａ、２８２ａの周方向の配列数及び径方向の配列数は、図２０に示すものに限定されない。また、板部材２８１に形成される開口２８１ａの数は１つであってもよい。この場合、板部材２８２に形成される開口２８２ａの数は１つであっても複数であってもよい。
【０１２６】
上記実施形態では、板部材２８２の形状は、円形状であるが、扇形状であってもよい。この場合、加湿運転を開始するときに板部材２８２を回転させる方向と、加湿運転を停止するときに板部材２８２を回転させる方向は逆方向とする。
【０１２７】
板部材２８２の形状、および、板部材２８１に形成される開口２８１ａの構成（形状および配列）は、上記実施形態の構成に限定されるものではなく、板部材２８２を移動させることで、板部材２８２が、板部材２８１の開口２８１ａが塞ぐ状態と、開口２８１ａを塞がない状態とに切り換え可能な構成であればよい。
例えば図２２に示す遮水部材１２８０のように、板部材１２８１に扇形状の１つの開口１２８２ａが形成されており、板部材１２８２が、開口１２８２ａとほぼ同じ大きさの略扇形状の平板であって、加湿運転中には板部材１２８１の非開口部と重なる位置（連通位置）に配置され、加湿運転停止中には板部材１２８１の開口１２８１ａと重なる位置（遮断位置）に配置されてもよい。
【０１２８】
上記実施形態では、板部材２８２が連通位置のとき、板部材２８２の開口２８２ａは、板部材２８１の非開口部と全く重ならないが、部分的に重なってもよい。
【０１２９】
上記実施形態では、板部材２８２は、加湿ロータ６３の回転軸を中心に回転可能に配置されており、駆動手段によって回転駆動されるが、板部材２８２の移動方向はこれに限定されるものではない。例えば図２３に示す遮水部材２２８０のように、部材２２８２が、左右方向に水平に移動できるように構成されており、加湿運転中は板部材２２８１の非開口部と重なる位置に配置され、加湿運転停止中は板部材２２８１の複数の開口２２８１ａと重なる位置に配置されてもよい。
【０１３０】
上記実施形態では、駆動手段によって、板部材２８２を加湿運転開始時と加湿運転停止時に移動させるようになっているが、駆動手段を設けなくてもよい。例えば室外機を設置する際に、板部材２８２を、板部材２８１の複数の開口２８１ａを塞ぐ位置（遮断位置）に配置するか、板部材２８１の複数の開口２８１ａを塞がない位置（連通位置）に配置するかを選択して、板部材２８２を手動で移動させてもよい。但し、この変更例では、板部材２８２が遮断位置のときに、遮水部材２８０を空気が通過できるように、板部材２８１、２８２との隙間の大きさを、第１実施形態の板部材８１、８２の隙間と同程度の大きさとする。
【０１３１】
＜第４実施形態＞
次に、本発明の第４の実施の形態について説明する。なお、上記第１実施形態と同様の構成を有するものについては、同じ符号を用いて適宜その説明を省略する。
本実施形態に係る室外機は、吸湿用ガイド壁と遮水部材の構成が、第１実施形態と異なっており、その他の構成は第１実施形態とほぼ同じである。
【０１３２】
図２４に示すように、本実施形態の遮水部材３８０は、加湿ロータ６３の吸湿部６３ａとほぼ同じ大きさの扇形状の平板であって、開口を有しない。遮水部材３８０は、吸湿用ガイド壁３６９の下端に形成された支持部３６９ａに支持されている。吸湿用ガイド壁３６９は、支持部３６９ａの上方（詳細には、遮水部材３８０の上面より上方）に、排気口３６９ｂを有する。また、図示は省略するが、遮水部材３８０の右側縁部（直線状の縁部）と吸湿用ガイド壁３６９との間には、隙間が形成されており、空気が通過可能となっている。
【０１３３】
本実施形態では、吸湿用ガイド壁３６９に流入した空気は、排気口３６９ｂと、遮水部材３８０の右側縁部と吸湿用ガイド壁３６９との隙間とを通って、吸湿用ガイド壁６９の外部に排出される。排出された空気は、遮水部材３８０の面方向外側を下方に通過して、室外ファン３９の上方の空間に送られる。
【０１３４】
本実施形態の室外機には、以下の特徴がある。
【０１３５】
本実施形態の室外機は、第１実施形態と同様に、室外ファン３９と加湿ロータ６３との間に遮水部材３８０が配置されるため、室外ファン３９が配置される空間に雨水等が侵入しても、加湿ロータ６３に水が掛かるのを防止できる。
【０１３６】
また、本実施形態では、吸湿用ガイド壁３６９は、遮水部材３８０の面方向外側を空気流が通過するように構成されているため、遮水部材３８０の通風抵抗に関わらず、室外ファン３９が配置される空間と加湿ロータ６３が配置される空間とを連通させることができる。
【０１３７】
また、本実施形態では、遮水部材３８０が開口を有しないため、加湿ロータ６３に水が掛かるのを確実に防止できる。
【０１３８】
以上、本発明の実施の形態について説明したが、本発明の具体的な構成は、上記第１〜第４実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【０１３９】
例えば、上記第４実施形態の吸湿用ガイド壁３６９の排気口３６９ｂを、上記第１〜第３実施形態に適用してもよい。
【０１４０】
空気流が通過可能な遮水部材の構成は、上記第１〜第３実施形態及びその変更例の遮水部材に限定されるものではない。例えば、遮水部材が、第１実施形態の板部材８１だけで構成されていてもよい。
【０１４１】
また、上記第１〜第４実施形態では、遮水部材は吸湿用ガイド壁に支持されているが、底部材６０ａに設けられた吸湿用ガイド壁とは別の部材に支持されていてもよい。
【０１４２】
また、本発明が適用される加湿ユニットと室外ファンの構成は、第１〜第４実施形態の構成に限定されない。上記第１〜第４実施形態では、吸湿用ガイド壁（連通流路）には、加湿ロータ６３から室外ファン３９に向かう方向に空気が流れるが、本発明の連通流路は、加湿ロータと室外ファンとの間に位置していれば、空気の流れ方向は逆方向であってもよい。また、連通流路の形状や加湿ロータの向きによっては、遮水部材は加湿ロータの面に対向して配置されていなくてもよい。
【０１４３】
また、上記第１〜第４実施形態では、加湿ユニット６０は、室外ファン３９の上方に配置されているが、加湿ユニット６０の室外ファン３９に対する位置は、これに限定されない。例えば、加湿ユニットが、室外ファンの下方、室外ファンの右側、または、室外ファンの前方に配置されていてもよい。
【産業上の利用可能性】
【０１４４】
本発明を利用すれば、室外機の加湿ロータに水が掛かるのを防止できる。
【符号の説明】
【０１４５】
３９  ファン
６０  加湿ユニット
６１  吸湿流路
６３  加湿ロータ
６３ａ  吸湿領域
６９  吸湿用ガイド壁
８０  遮水部材
８１、８２  板部材（第１板部材）
８１ａ、８２ｂ  開口
１８０、１１８０、２１８０  遮水部材
１８４、１１８４、２１８４  傾斜板片
２８０、１２８０、２２８０  遮水部材
２８１、１２８１、２２８１  板部材（第１板部材）
２８１ａ、１２８１ａ、２２８１ａ  開口
２８２、１２８２、２２８２  板部材（第２板部材）
２８２ａ、１２８２ａ  開口
３８０  遮水部材
３６９  吸湿用ガイド壁
３６９ｂ  排気口
【図１】
2014126318.tif 000003
【図２】
2014126318.tif 000004
【図３】
2014126318.tif 000005
【図４】
2014126318.tif 000006
【図５】
2014126318.tif 000007
【図６】
2014126318.tif 000008
【図７】
2014126318.tif 000009
【図８】
2014126318.tif 000010
【図９】
2014126318.tif 000011
【図１０】
2014126318.tif 000012
【図１１】
2014126318.tif 000013
【図１２】
2014126318.tif 000014
【図１３】
2014126318.tif 000015
【図１４】
2014126318.tif 000016
【図１５】
2014126318.tif 000017
【図１６】
2014126318.tif 000018
【図１７】
2014126318.tif 000019
【図１８】
2014126318.tif 000020
【図１９】
2014126318.tif 000021
【図２０】
2014126318.tif 000022
【図２１】
2014126318.tif 000023
【図２２】
2014126318.tif 000024
【図２３】
2014126318.tif 000025
【図２４】
2014126318.tif 000026